(57)【要約】【課題】本発明の目的は、体格の大きく異なる成人と幼児、また小便時に使用方法の異なる男性と女性等に関わらず、トイレを汚さずに快適に使用できる収納式キャビネット付水洗便器を提供する。【解決手段】本発明では、水洗便器を床に接触させること無く収納式キャビネットに取り付けることを特徴としており、水洗便器使用者の立つまたは便座に着座する際に足を載せる位置から水洗便器までの高さをキャビネット内に収納された踏み台を利用することで変更することが可能である。【選択図】　図１
2004113437.tif 000002
【特許請求の範囲】
【請求項１】
水洗便器を床から離れた状態で設置するキャビネットにおいて、前記キャビネット内に引き出し可能に収納された踏み台を備えることを特徴とするキャビネット。
【請求項２】
前記踏み台が収納部となることを特徴とする請求項１記載のキャビネット。
【請求項３】
前記踏み台の高さが任意に変更でき、前記踏み台上面から前記水洗便器の上面までの距離を変更できるように踏む台を複数備えたことを特徴とする請求項１乃至２記載のキャビネット。
【発明の詳細な説明】
【０００１】
【発明の属する技術分野】
本発明は、床から水洗便器を離れた状態でキャビネットに設置される壁掛け式便器のキャビネットに関する。
【０００２】
【従来の技術】
従来の床から水洗便器を離して固定する壁掛け式便器の水洗便器の多くは、使用者の荷重と便器の荷重を確実に支持するため、便器の高さは、任意の高さに予め設定され、フレームや壁に強固に固定されている。そのため、高さを変更することが不可能であるが、使用用途に合わせて便器本体の取り付け高さを油圧シリンダーなどを利用して昇降可能とした複雑な昇降機能装置を備えたものもある。（例えば、特許文献１参照。）
【０００３】
また、簡単に床から水洗便器までの高さを変える方法として、体格の小さい幼児などが利用する踏み台が市販されている。
【０００４】
【特許文献１】
特開平１−２３５７３９号公報
【０００５】
【発明が解決しようとする課題】
従来の水洗便器の昇降機能による取り付け高さの変更では、便器洗浄用の給水及び排水用の配管長さを便器の昇降に伴い変更できるように伸縮可能な配管等を使用しており、その配管部に昇降の繰り返しで亀裂が生じるおそれがあり、それに伴う漏水の問題が懸念されていた。また重量物である水洗便器を昇降するために複雑で強固な構造を必要とし、更に多大な動力を必要とする場合がある。
【０００６】
また、踏み台を利用する場合には、踏み台の置き場が狭いトイレスペースでは、通常の使用の邪魔になってしまう。
【０００７】
本発明は、上記問題を解決するためになされたもので、本発明の目的は、便器を昇降せずに使用者にとって最適な便器高さで使用できるキャビネットを提供することにある。
【０００８】
【課題を解決するための手段】
上記目的を達成するために請求項１は、水洗便器を床から離れた状態で設置するキャビネットにおいて、前記キャビネット内に引き出し可能に収納された踏み台を備えることを特徴とするキャビネットとした。
【０００９】
請求項１の発明によれば、通常は、水洗便器を取り付けた位置の高さで使用するが、例えば、幼児が利用する場合には、キャビネット内に収納されている踏み台を引き出すことで、立ち位置から水洗便器までの高さを変更できる。また、踏み台を防水パンとしておくことで、便器から外れた小便を受けることができ、清掃性を向上させ、床の腐蝕も回避でき、また、収納時においても、キャビネット内に配置されている洗浄水の配管やロータンクなどの給水系で発生する結露水を受ける水受けの働きをすることもできる。
【００１０】
請求項２では、前記踏み台が収納部となることを特徴とすることで、狭いトイレ空間に効率的に収納が行える。
【００１１】
請求項３では、前記踏み台の高さが任意に変更でき、前記踏み台上面から前記水洗便器の上面までの距離を自由に変更できるように踏む台を複数備えた。
【００１２】
請求項３の発明によれば、例えば、踏み台が複数個を積層するような構成とすることで、成人男性の立ち姿勢での小用、成人男性及び女性の便座に着座での使用、更に幼児の使用など使用者の用途に合わせて最適な便器高さで使用できる。踏み台の高さは、それぞれが異なっていても同一でも構わない。また、請求項２のように収納部を有していても単なる板状のものでも良い。
【００１３】
【発明の実施の形態】
以下に本発明の実施の形態について説明する。図１は本発明にかかる実施の形態である。参照符合１は、水洗便器を示し、便蓋２を有している。水洗便器１は、図示しないキャビネット３内に収納された固定用フレームに取付け面を固定している。キャビネットの下側の床面側に位置している部分には、踏み台としての引き出し式の蓋５を有する収納部４が引き出し可能に配置されている。この引き出し式の蓋５を備えた収納部５が、キャビネットから引き出した際に、踏み台として利用可能となる。また未使用時には収納キャビネット内に格納している。参照符号１０は、踏み台のそれぞれに配置された取っ手であり、常時は、踏み台の側面と面一の状態で収納されているが、取っ手部分を押し込むことで、飛び出すようになっている。収納時は、また、押し込むことで収納される。図では、収納が可能なように、蓋と収納部を形成しているが、単に板状の物を複数枚収納するようにして、引き出す枚数によって高さを自由に変えるようにしても良い。また、両者の組み合わせでも良い。
【００１４】
尚、キャビネットから引き出しされた踏み台は、所定位置まで、引き出された際に、ロックされるような構成とされ、踏み台に乗った際に不意に踏み台がキャビネットの収納方向へ移動することを防止している。また、踏み台の上面は、滑り止め撥水加工を施しておくのが良い。
【００１５】
上記した構成のように水洗便器の取付け位置は、予め設定されて位置に固定されるため、洗浄水や排水用の配管は、通常の配管を利用でき、従来のように昇降によって配管が劣化するおそれはなくなる。
【００１６】
図２は、本発明にかかる実施の形態である。引き出し収納部４の蓋５をあけ、中にトイレットペーパー、掃除用具等のトイレで使用するものを収納することが可能である。蓋は、収納部内に小便や水が入らないように、それらを受けるように防水パンのような構造とすることが望ましい。また、引出し収納部４は、蓋５をキャビネット内に残して引き出されるようにしても良い。
【００１７】
図３は、本発明の実施の形態である。引き出し収納部４の床面との段差部をスロープ形状（傾斜をつける）にすることで、つまずき等による転倒を防止するものである。
【００１８】
図４は、本発明にかかる実施の形態である。引き出し収納部４、５の２つを有しており、収納容量を大きくすると共に便器までの高さを変更することができ、最適な高さで便器を使用することが可能である。
【００１９】
図５は、引き出し収納部４と引き出し収納部５の上面との段差部及び引き出し収納部５と床面との段差部をスロープ形状（傾斜をつける）にすることで、つまずき等による転倒を防止するものである。
【００２０】
【発明の効果】
本発明によれば、体格、水洗便器の使用用途別の最適な高さで使用することが可能な水洗便器を提供することが可能となる。
【図面の簡単な説明】
【図１】本発明の実施形態示す斜視図である。
【図２】本発明の実施形態示す斜視図である。
【図３】本発明の実施形態示す斜視図である。
【図４】本発明の実施形態示す斜視図である。
【図５】本発明の実施形態示す斜視図である。
【符号の説明】
１…水洗便器
２…便座
３…キャビネット
４…収納部（踏み台）
５…収納部蓋
６…収納部（下段）
７…収納部蓋（下段）
８…収納物（トイレットペーパー等）
１０…取っ手
【図１】
2004113437.tif 000003
【図２】
2004113437.tif 000004
【図３】
2004113437.tif 000005
【図４】
2004113437.tif 000006
【図５】
2004113437.tif 000007